(57)【特許請求の範囲】
【請求項１】
操作手段と、
音情報と画像情報とからなるコンテンツを記憶する記憶手段と、
記憶された音情報を出力する音声出力手段と、
記憶された画像情報を表示する表示手段と、
前記音情報の出力と画像情報の表示とがなされているときに前記操作手段のうち所定の１つの操作がおこなわれると、待受け画面へ移行する項目、及びメール機能を起動する項目を含む、メニューを新たに表示し、
その新たにメニューを表示した状態で、
（１）前記所定の１つの操作と同じ操作がなされると、前記メニューを閉じるように制御し、
（２）前記表示されたメニューのうち、待受け画面に移行する項目が選択されると、前記音情報の出力を継続させ、前記画像情報の表示を停止し、所定の待受け画面を前記表示手段に表示する制御手段とを有し、
前記制御手段は更に所定の待受け画面を表示させた後、前記操作手段の更なる操作に応じて発呼することが可能であることを特徴とする通信端末装置。
【請求項２】
操作手段と、
音情報と画像情報とからなるコンテンツを記憶する記憶手段と、
記憶された音情報を出力する音声出力手段と、
記憶された画像情報を表示する表示手段と、
前記音情報の出力と画像情報の表示とがなされているときに前記操作手段のうち所定の１つの操作がおこなわれると、待受け画面へ移行する項目、及びメール機能を起動する項目を含む、メニューを新たに表示し、
そのメニューを新たに表示した状態で、
（１）前記所定の１つの操作と同じ操作がなされると、前記メニューを閉じるように制御し、
（２）前記表示されたメニューのうち、待受け画面に移行する項目が選択されると、前記音情報の出力を継続させ、前記画像情報の表示を停止し、所定の待受け画面を前記表示手段に表示する制御手段とを有し、
前記制御手段は更に所定の待受け画面を表示させた後、前記操作手段の更なる操作に応じて前記音情報の出力を継続させつつ、ブラウザ機能を起動させることを特徴とする通信端末装置。
【請求項３】
操作手段と、
音情報を含むコンテンツを記憶する記憶手段と、
記憶された音情報を出力する音声出力手段と、
画像情報を表示する表示手段と、
前記音情報の出力と画像情報の表示とがなされているときに前記操作手段のうち所定の１つの操作がおこなわれると、待受け画面へ移行する項目、及びメール機能を起動する項目を含む、メニューを新たに表示し、
そのメニューを新たに表示した状態で、
（１）前記所定の１つの操作と同じ操作がなされると、前記メニューを閉じるように制御
し、
（２）前記表示されたメニューのうち、待受け画面に移行する項目が選択されると、前記音情報の出力を継続させ、前記画像情報の表示を停止し、所定の待受け画面を前記表示手段に表示する制御手段とを有し、
前記制御手段は更に所定の待受け画面を表示させた後、前記操作手段の更なる操作に応じて発呼することが可能であることを特徴とする通信端末装置。
【請求項４】
操作手段と、
音情報を含むコンテンツを記憶する記憶手段と、
記憶された音情報を出力する音声出力手段と、
画像情報を表示する表示手段と、
前記音情報の出力と画像情報の表示とがなされているときに前記操作手段のうち所定の１つの操作がおこなわれると、待受け画面へ移行する項目、及びメール機能を起動する項目を含む、メニューを新たに表示し、
そのメニューを新たに表示した状態で、
（１）前記所定の１つの操作と同じ操作がなされると、前記メニューを閉じるように制御し、
（２）前記表示されたメニューのうち、待受け画面に移行する項目が選択されると、前記音情報の出力を継続させ、前記画像情報の表示を停止し、所定の待受け画面を前記表示手段に表示する制御手段とを有し、
前記制御手段は更に所定の待受け画面を表示させた後、前記操作手段の更なる操作に応じて前記音情報の出力を継続させつつ、ブラウザ機能を起動させることを特徴とする通信端末装置。
【請求項５】
前記制御手段は、
前記音情報の出力と画像情報の表示とがなされているときに前記操作手段のうち所定の１つの操作がおこなわれ、前記メニューを新たに表示した状態で、
（３）前記表示されたメニューのうち、メール機能を起動する項目が選択されると、前記音情報の出力を継続させ、前記画像情報の表示を停止し、電子メール機能に関する画面を前記表示手段に表示することを特徴とする請求項１乃至４のうちのいずれか１項に記載の通信端末装置。
【請求項６】
前記メニューを新たに表示する際には、前記画像情報を表示している同じ表示手段に表示することを特徴とする請求項１乃至５のいずれか１項に記載の通信端末装置。
【発明の詳細な説明】
【技術分野】
【０００１】
本発明は、通信端末装置に係り、音声を出力中に他の処理部を動作する際の制御処理に
関する。
【背景技術】
【０００２】
移動通信端末装置が音楽コンテンツを記憶して、再生する処理が知られている。ここで
、音楽コンテンツとは、音楽情報が符号化された情報であり、音楽でない音声情報が符号
化された情報を含む。また、音楽情報に加えて、画像情報が符号化された情報を含んでい
ても良い。この音楽再生処理は、待受け時に、即ち、装置が通話などの通信処理を行って
いない際に起動される。
【０００３】
例えば、音楽再生処理が実行されている際に、ユーザが音楽を再生しながら、他の処理
を行おうとした場合においては、複雑な処理を行わなければならない可能性がある。例え
ば特許文献１に記載の技術では、２つのディスプレイを設け、１つにメインの機能の表示
を行い、もう１つのディスプレイに起動されている機能のアイコンを表示している。    
【特許文献１】特開２００３−１６２３５５号公報
【発明の開示】
【発明が解決しようとする課題】
【０００４】
しかしながら、上述した特許文献１には、１つのディスプレイだけで、かつ簡単な操作
で、音楽を再生しながら他の機能を起動する方法については、全く開示がない。
【０００５】
そこで本発明は、できるだけ簡単な操作で誤動作せず、音再生処理を行いながらも音再
生処理以外の操作が可能であり、かつ音再生を妨げずに通信機能の操作が可能な通信端末
装置を提供することを目的とする。
【課題を解決するための手段】
【０００６】
上記目的を達成するために、本発明の通信端末装置は、操作手段と、音情報と画像情報とからなるコンテンツを記憶する記憶手段と、記憶された音情報を出力する音声出力手段と、記憶された画像情報を表示する表示手段と、前記音情報の出力と画像情報の表示とがなされているときに前記操作手段のうち所定の１つの操作がおこなわれると、待受け画面へ移行する項目、及びメール機能を起動する項目を含む、メニューを新たに表示し、その新たにメニューを表示した状態で、（１）前記所定の１つの操作と同じ操作がなされると、前記メニューを閉じるように制御し、（２）前記表示されたメニューのうち、待受け画面に移行する項目が選択されると、前記音情報の出力を継続させ、前記画像情報の表示を停止し、所定の待受け画面を前記表示手段に表示する制御手段とを有し、前記制御手段は更に所定の待受け画面を表示させた後、前記操作手段の更なる操作に応じて発呼することが可能であることを特徴とする。
【発明の効果】
【０００７】
本発明によれば、できるだけ簡単な操作で誤動作せず、音再生処理を行いながらも音再
生処理以外の操作が可能であり、かつ音再生を妨げずに通信機能の操作が可能な通信端末
装置を提供することができる。
【発明を実施するための最良の形態】
【０００８】
以下に、本発明による通信端末装置の実施の形態を、図面を参照して説明する。図１は
、本発明を折畳み型移動通信端末装置に実施した場合における、装置の上下筐体の折畳み
を開いた時の正面の外観を示す図である。この移動通信端末装置は、上筐体１と下筐体２
とが、ヒンジ部３によって回動自在に連結されてなる。
【０００９】
上筐体１の内面には、受話に用いられるスピーカ１４ａと、使用者に操作を促す表示や
、使用者が操作した内容の表示や、カーソル位置や、装置の動作状態の表示などに用いら
れるバックライト付きのＬＣＤ（Liquid Crystal Display）からなる表示部３２とが設置
されている。更に、上筐体１の外面には、使用者の操作によって再生された音声が出力さ
れるスピーカ（図示せず）が設置されている。
【００１０】
また、下筐体２の内面には、送話に用いられるマイクロフォン１４ｂが設置されている
。下筐体２の内面には、キーパッドからなる入力装置１５が設けられている。更に、下筐
体２の外面には、電波の送受に用いられるアンテナ（図示せず）が設置されている。
【００１１】
入力装置１５は、下筐体２の内面に設置され、各機能での確定や選択を指示するために
用いられるワープ中央キー１５ａと、ワープ中央キー１５ａに隣接してワープ中央キー１
５ａを取り囲んで設置され、表示部３２上のカーソル位置の移動指示などに用いられるワ
ープ十字キー１５ｂとを含む。また、下筐体２の内面で表示部３２の近く、即ち、上筐体
１の近くに左から右へ設置され、表示部３２に左から右に表示された第１〜第３の機能を
選択するために用いられる第１のソフトキー１５ｃと、第２のソフトキー１５ｄと、第３
のソフトキー１５ｅとを含む。
【００１２】
更に、入力装置１５は、英数字や文字、記号の入力などに用いられる数字キーと、移動
通信端末装置の電源の投入及び切断などの動作指示の入力に用いられる複数の機能キーと
を含んでいる。
【００１３】
図２は、この移動通信端末装置の構成を示すブロック図である。この移動通信端末装置
は、装置全体の制御を行う制御部１１と、クロック１１ａと、基地局（図示せず）との間
で電波の送受信を行うアンテナ１２ａと、通信部１２ｂと、送受信部１３と、スピーカ１
４ａと、マイクロフォン１４ｂと、通話部１４ｃと、入力装置１５と、音楽再生部１６と
、音楽コンテンツ記憶部２１と、復号部３１と、表示部３２と、スピーカ３３と、電子メ
ール送受信部４１と、ブラウザ部４２と、スケジュール管理部４３と、電源部５１とから
なる。
【００１４】
音楽コンテンツ記憶部２１には、音楽コンテンツ２１ａが記憶される。音楽コンテンツ
記憶部２１に記憶される音楽コンテンツ２１ａは、音声情報が符号化された情報である。
【００１５】
そして、音楽コンテンツ２１ａは、電子メール送受信部４１によって受信された添付ファ
イルとして受信したものや、ブラウザ部４２によってダウンロードされたものである。な
お、音楽コンテンツ２１ａは、音声情報が符号化された情報に加えて、画像情報が符号化
された情報を含んでいても良い。また、その音楽コンテンツ２１ａに関する文字情報を含
んでいても良い。
【００１６】
上記のように構成された、本発明の実施形態に係る移動通信端末装置の各部の動作を、
図２を参照して説明する。
【００１７】
まず、制御部１１は、移動通信端末装置の各部の制御を行い、その制御の一部として、
音楽再生部１６が動作中に、音楽再生部１６以外の各部の動作によるスピーカ３３からの
音声の発生をさせるか否かの制御を行う。そのために、制御部１１は、制御部１１内に音
声関連処理重要度一覧を記憶する。
【００１８】
図３は、音声関連処理重要度一覧の一例を示す。音声関連処理重要度一覧１１ｂは、重
要度１１ｃと、音声関連処理１１ｄとの情報の組からなる。重要度１１ｃは、音楽再生部
１６が再生している音楽と、音声関連処理１１ｄによって発生される音声とを比較して、
後者の重要度が前者の重要度より高いか、低いか、また、同程度かの情報が記載されてい
る。音声関連処理１１ｄは、移動通信端末装置の各部の行う処理、及び、制御部１１の行
う処理である。
【００１９】
重要度１１ｃが「高」と組になって記憶されている音声関連処理１１ｄとして、「通話
着信音の発生」と、「電力低下アラーム音の発生」と、「スケジュールアラーム音の発生
」とがある。また、重要度１１ｃが「低」と組になって記憶されている音声関連処理１１
ｄとして、「キー音の発生」と、「メール着信音の発生」と、「添付ファイル再生による
音声発生」と、「添付ファイルの添付」と、「メールアラーム音の発生」とがある。更に
、重要度１１ｃが「同」と組になって記憶されている音声関連処理１１ｄとして、「ブラ
ウザ装置による音声の発生」がある。
【００２０】
クロック１１ａは、時刻を保持する。通信部１２ｂは、アンテナ１２ａが受信した高周
波信号を送受信部１３へ出力し、また、送受信部１３から出力される高周波信号をアンテ
ナ１２ａより送信する。
【００２１】
送受信部１３は、通信部１２ｂからの高周波信号を増幅、周波数変換及び復調し、それ
によって得られたデジタル音声信号を通話部１４ｃに送り、また、制御信号を制御部１１
に送る。更には、通話部１４ｃから出力されるデジタル音声信号、及び制御部１１から出
力される制御信号を変調、周波数変換及び増幅し、高周波信号を得て、それを通信部１２
ｂに送る。
【００２２】
通話部１４ｃは、送受信部１３から出力されるデジタル音声信号をアナログ音声信号に
変換し、それを増幅してスピーカ１４ａに送る。また、マイクロフォン１４ｂから出力さ
れるアナログ音声信号を増幅し、それをデジタル音声信号に変換して送受信部１３に送信
する。
【００２３】
入力装置１５は、通信相手の電話番号を指定するための数字キーと複数の機能キーとを
含むキーからなる。そして、入力装置１５のキーが操作されると、そのキーの識別子が制
御部１１に通知され、制御部１１によって、キーが操作されたことを示すキー音がスピー
カ３３から発生され、表示部３２に文字として表示され、または、制御が行われる。なお
、キー音は発生しないように制御してもよい。
【００２４】
次に、音楽再生部１６の動作を、図４を参照して説明する。音楽再生部１６は、移動通
信端末装置が待受け時に、即ち、表示部３２に待受け画面が表示されている際に、入力装
置１５の所定のキー操作によって制御部１１が起動することにより動作を開始し、表示部
３２にプレイリスト選択用の表示をする。
【００２５】
図４（ａ）は、プレイリスト選択用の表示の一例を示す。即ち、表示部３２の中央部に
プレイリスト名一覧１６ａとして、「プレイリスト１」と、「プレイリスト２」と、「プ
レイリスト３」とのプレイリスト名が縦方向に列挙して表示され、かつ、それぞれのプレ
イリスト名と同じ行に対応付けられて、数字「１」、「２」及び「３」が表示されている
。更に、表示部３２の下中央部に第２の機能表示１６ｂとして、「再生」なる文字が表示
されている。また、図４（ａ）のように、初期状態は「プレイリスト１」が選択状態にな
っている。
【００２６】
ここで、それぞれのプレイリストは、音楽再生部１６内に記憶された音楽コンテンツ２
１ａを識別する情報が、１つ、または、複数からなる情報が記憶されている。そして、ワ
ープ十字キー１５ｂを上方向、または、下方向に操作すること、または、プレイリスト名
に対応付けられて表示された数字のキーを押下することによって、表示されたプレイリス
ト名一覧１６ａの中から１つのプレイリスト名が選択される。
【００２７】
そして、第２のソフトキー１５ｄが操作されると、音楽再生部１６は、第２の機能表示
１６ｂとして表示された再生機能を開始する。即ち、上記選択されたプレイリスト名で識
別されるプレイリストに識別情報が記憶された１つ、または、複数の音楽コンテンツ２１
ａをリストに登録された順番で再生を開始する。
【００２８】
そして、表示部３２に、音楽再生時の表示を行う。図４（ｂ）は、音楽再生時の表示の
一例を示す。即ち、表示部３２の中央部に、再生表示１６ｃが表示され、表示部３２の下
右部に第３の機能表示１６ｄとして、「メニュー」なる文字が表示されている。また、現
在再生中の音楽が開始から何分何秒経過したかをバー表示と、数字表示とで表される。更
には、再生中の曲名・アーテイスト名等を表示してもよい。
【００２９】
ここで、再生表示１６ｃは、当該再生中の音楽コンテンツ２１ａがダウンロードされた
際に音楽データと同時にダウンロードされ、音楽コンテンツ記憶部２１に音楽コンテンツ
２１ａと関連付けられて記憶された静止画の表示である。また、再生表示１６ｃは静止画
に限るものではなく、動画であっても良い。更に、音楽再生部１６内に記憶され、再生中
の音楽コンテンツ２１ａに依存しない静止画であっても、動画であっても良い。
【００３０】
音楽再生時に、第３のソフトキー１５ｅが操作されると、音楽再生部１６は、第３の機
能表示１６ｄとして表示されたメニューを表示部３２に表示する。図４（ｃ）は、メニュ
ーの表示の一例を示す。即ち、表示部３２の第３の機能表示１６ｄから吹き出されてメニ
ュー１６ｅが表示され、そのメニュー１６ｅには、３つの項目が縦方向に列挙して表示さ
れ、それぞれの項目には、「待受け画面」、「電子メール」、「音楽情報」なる文字が表
示され、かつ、それぞれの項目と同じ行に対応付けられて、数字「１」、「２」及び「３
」が表示されている。
【００３１】
また、メニュー１６ｅが表示されている場合、第３の機能表示１６ｄとして、「閉」な
る文字が表示されている。ここで、第３のソフトキー１５ｅが操作されると、音楽再生部
１６は、表示部３２に表示されているメニュー１６ｅを閉じ、図４（ｂ）に示す音楽再生
時の表示を行う。
【００３２】
メニュー１６ｅが表示されている際、ワープ十字キー１５ｂを上方向、または、下方向
に操作すること、または、上記項目に対応付けられて表示された数字のキーの押下によっ
て、表示された３つの項目の中から１つの項目が選択される。そして、ワープ中央キー１
５ａが操作されると、音楽再生部１６は、上記選択された項目に従った動作を行う。即ち
、「待受け画面」が選択されていた場合、音楽再生部１６は、音楽再生を継続して、表示
部３２への表示を中止する。これによって、表示部３２には、待受け画面が表示される。
【００３３】
表示部３２に待受け画面が表示されている場合、所定のキーが操作されることにより、
制御部１１は、電子メール送受信部４１を起動し、ブラウザ部４２を起動し、スケジュー
ル管理部４３を起動し、または、通話発信を行うなど、音楽を再生しながら音楽再生部１
６以外の機能を実行することが出来る。
【００３４】
また、「電子メール」が選択されていた場合、音楽再生部１６は、音楽再生を継続して
、表示部３２への表示を中止し、電子メール送受信部４１の起動を制御部１１に指示する
。これによって、表示部３２には、電子メール送受信部４１による表示が行われる。更に
、「音楽情報」が選択されていた場合、音楽再生部１６は、音楽再生を継続して、表示部
３２に、再生中の音楽コンテンツ２１ａに付加されて記憶されていたその音楽コンテンツ
２１ａに関する情報、例えば、曲名、歌手名、コンテンツ提供業者名などを表示する。
【００３５】
続いて、復号部３１の動作を説明する。復号部３１は、音楽コンテンツ２１ａを指定し
た音楽再生部１６からの指示によって動作を開始する。そして、指定された音楽コンテン
ツ２１ａを復号して再生する。即ち、復号された音声データをスピーカ３３から発音する
。
【００３６】
また、復号部３１は、符号化された、または、符号化されていない画像データを受信し
て、その画像データを表示部３２に表示する。また、符号化されていない音声データを受
信して、その音声データをスピーカ３３から発音する。なお、スピーカ３３は１つに限定
されることなく複数設けてもよい。その際には、例えば音楽コンテンツは第１のスピーカ
から出力し、キー音は第２のスピーカから出力するように、機能毎に使用するスピーカを
ことなるように設定してもよい。
【００３７】
次に、電子メール送受信部４１の動作を説明する。電子メール送受信部４１は、入力装
置１５の所定のキー操作（例えば第３のソフトキー１５ｅの押下）がなされると、制御部
１１が起動することによって動作を開始し、表示部３２に電子メール機能一覧を表示する
。図５は、表示部３２に表示された電子メール機能一覧の一例を示す。即ち、電子メール
機能一覧４１ａとして、「新規作成」と、「受信ボックス」と、「送信ボックス」との電
子メール機能を識別する名称が縦方向に列挙して表示され、かつ、それぞれの名称と同じ
行に対応付けられて、数字「１」、「２」及び「３」が表示されている。更に、表示部３
２の下中央部に第２の機能表示４１ｂとして、「選択」なる文字が表示されている。
【００３８】
ここで、「新規作成」は、新規に送信する電子メールを作成する機能を示す。また、「
受信ボックス」は、受信された電子メールの標題と本文を表示部３２に表示し、そのメー
ルに添付ファイルが添付されている場合、その添付ファイルを再生する機能を示す。更に
、「送信ボックス」は、送信された電子メールの標題と本文を表示部３２に表示し、その
メールに添付ファイルが添付されている場合、その添付ファイルを再生する機能を示す。
【００３９】
表示部３２に電子メール機能一覧４１ａが表示されている際、ワープ十字キー１５ｂを
上方向、または、下方向に操作することによって、または、上記機能の名称に対応付けら
れて表示された数字のキーを押下することによって、表示された電子メール機能一覧４１
ａの中から１つの電子メール機能が選択される。そして、第２のソフトキー１５ｄが操作
されると、電子メール送受信部４１は、上記選択された電子メール機能を実行する。
【００４０】
「新規作成」機能が選択された場合、電子メール送受信部４１は、入力装置１５の所定
のキー操作によって、送信メールの標題と、本文を入力装置１５のキー操作によって作成
する。続いて、入力装置１５の所定のキー操作によって、その送信メールに添付ファイル
を添付すると指定された場合、電子メール送受信部４１は、音楽コンテンツ記憶部２１に
記憶された音楽コンテンツ２１ａの一覧を表示部３２に表示する。
【００４１】
そして、入力装置１５のキー操作によって選択された音楽コンテンツ２１ａを添付ファ
イルとして添付された送信メールを作成して、そのメールの送信を制御部１１に指示する
。なお、添付ファイルを添付すると指定された場合、表示部３２に表示する一覧は音楽コ
ンテンツ２１ａだけでなく、データフォルダ部（図示せず）にファイル種別毎に分類され
て記憶されたカメラで撮影した画像ファイルでもよいし、ダウンロードした画像・音声デ
ータでもよい。
【００４２】
また、電子メール送受信部４１は、制御部１１が電子メール着信信号を受信した後に、
制御部１１が起動することにより電子メール受信の動作を開始する。そして、制御部１１
によって受信された受信メールの標題と、本文とを受信して、電子メール送受信部４１内
に記憶する。更に、受信メールに添付ファイルが添付されていた場合、その添付ファイル
を受信して、その添付ファイルデータが音楽コンテンツ２１ａである場合には音楽コンテ
ンツ記憶部２１に記憶し、その他のファイル（画像ファイル等）である場合には、ファイ
ル種別毎にデータフォルダ部へ記憶する。
【００４３】
そして、「受信ボックス」機能が選択された場合、電子メール送受信部４１は、電子メ
ール送受信部４１内に記憶された受信メールの標題と、本文を表示部３２に表示する。ま
た、その受信メールに添付ファイルとして音楽コンテンツ２１ａが添付されており、所定
のキーが操作された場合、その音楽コンテンツ２１ａの再生を復号部３１に指示する。
【００４４】
更に、「送信ボックス」機能が選択された場合、電子メール送受信部４１は、電子メー
ル送受信部４１内に記憶された送信メールの標題と、本文を表示部３２に表示する。また
、その送信メールに添付ファイルとして音楽コンテンツ２１ａが添付されており、所定の
キーが操作された場合、その音楽コンテンツ２１ａの再生を復号部３１に指示する。
【００４５】
次に、ブラウザ部４２の動作を説明する。ブラウザ部４２は、入力装置１５の所定のキ
ー操作がなされると（例えば第２のソフトキー１５ｄ押下）、制御部１１によって起動さ
れて動作を開始する。そして、入力装置１５の所定のキー操作によって指定されたＵＲＬ
へ制御部１１を経由してアクセスする。
【００４６】
そして、アクセスされたサイトに応じて、ブラウザ部４２は、表示部３２への表示、ス
ピーカ３３への音声の出力、更に、音楽コンテンツ２１ａの音楽コンテンツ記憶部２１へ
のダウンロードを行う。図６は、アクセスされたサイトに応じた表示部３２上の表示の一
例を示す。即ち、表示部３２中央部にアクセスされたサイトに応じたブラウザ表示４２ａ
が表示されている。
【００４７】
また、ブラウザ部４２は、電子メール送受信部４１によって受信した受信メールの本文
がＵＲＬを含むものであって、当該受信メールを表示部３２に表示している際に、入力装
置１５の所定のキー操作によってそのＵＲＬが指定されると、制御部１１によって起動さ
れ、ブラウザ部４２は、起動されたら直ちにそのＵＲＬへアクセスしても良い。
【００４８】
次に、スケジュール管理部４３の動作を説明する。スケジュール管理部４３は、入力装
置１５の所定のキー操作がなされると、制御部１１によって起動される。そして、入力装
置１５の所定のキー操作によって用件と、その用件の開始日時と、その用件の終了日時と
、アラーム日時とが入力される。そして、入力されたこれらの情報をスケジュール管理部
４３内のスケジュール一覧に記憶する。
【００４９】
図７は、スケジュール一覧の一例を示す。スケジュール一覧４３ａは、開始時刻４３ｂ
と、終了時刻４３ｃと、用件４３ｄとの情報の組からなる。開始時刻４３ｂは、上記入力
された用件の開始日時であり、終了時刻４３ｃは、上記入力された用件の終了日時であり
、用件４３ｄは、上記入力された用件である。スケジュール管理部４３は、アラーム日時
に警報を報知するように、制御部１１に依頼する。ここでは、アラーム日時は、開始時刻
４３ｂと等しいとして、アラーム日時はスケジュール一覧４３ａに記憶されず、また、ス
ケジュール管理部４３は、スケジュール一覧４３ａに記憶された開始時刻４３ｂに警報を
報知するように、制御部１１に依頼するとする。
【００５０】
次に、電源部５１の動作を説明する。電源部５１は、充電池（図示せず）を内蔵し、充
電器（図示せず）から供給される電力を充電池に充電する。また、充電池に蓄えられた電
力を、移動通信端末装置の各部に供給する。更に、充電池に蓄えられた電力が所定の量よ
り低下したか否かを検出し、低下が検出された場合、電力低下信号５１ａを制御部１１に
送信する。
【００５１】
次に、上記のように構成された、本発明の実施形態に係る移動通信端末装置の音楽再生
部１６の動作中における、制御部１１の音声出力制御の動作を説明する。図８は、音楽再
生部１６の動作中における、制御部１１の音声出力制御の動作のフローチャートを示す。
【００５２】
制御部１１の音声出力制御の動作は、音楽再生部１６が動作中に新たな処理（例えば制
御部１１が通話着信信号を受信した際、電力低下信号を受信した際の処理等）が開始され
た際に動作を開始し（ステップＳ１１ａ）、その新たな処理が行う音声関連処理１１ｄを
キーに音声関連処理重要度一覧１１ｂを検索して、その音声関連処理１１ｄの重要度１１
ｃを検索の結果として得る（ステップＳ１１ｂ）。そして、その検索の結果、重要度１１
ｃが「高」である場合、制御部１１は、上記新たな処理に対応付けられた音声関連処理１
１ｄの動作をさせ、そして、音楽再生部１６の動作を中断させて（ステップＳ１１ｃ）、
制御動作を終了する（ステップＳ１１ｄ）。
【００５３】
また、その検索の結果、重要度１１ｃが「低」である場合、制御部１１は、上記新たな
処理に対応付けられた音声関連処理１１ｄの動作をさせず、そして、音楽再生部１６の動
作を継続させて（ステップＳ１１ｅ）、制御動作を終了する（ステップＳ１１ｄ）。また
、その検索の結果、重要度１１ｃが「同」である場合、制御部１１は、制御部１１内に記
憶された上記新たな処理に対応付けられた音声関連処理１１ｄを行うか否かの設定を調べ
る（ステップＳ１１ｆ）。
【００５４】
そして、ステップＳ１１ｆにおいて調べた設定が、音声関連処理１１ｄを動作させる設
定である場合、上記新たな処理に対応付けられた音声関連処理１１ｄの動作をさせ、そし
て、音楽再生部１６の動作を中断させて（ステップＳ１１ｃ）、制御動作を終了する（ス
テップＳ１１ｄ）。一方、ステップＳ１１ｆにおいて調べた設定が、音声関連処理１１ｄ
を動作させない設定である場合、上記新たな処理に対応付けられた音声関連処理１１ｄの
動作をさせず、そして、音楽再生部１６の動作を継続させて（ステップＳ１１ｅ）、制御
動作を終了する（ステップＳ１１ｄ）。なお、音声関連処理１１ｄの動作をさせる際には
当該音声関連処理に伴って画像の表示を行ってもよい。また、音声関連処理１１ｄの動作
をさせない際には、当該音声関連処理に伴う画像の表示のみを行ってもよい。
【００５５】
次に、具体的な新たな処理毎に、制御部１１の音声出力制御の動作を説明することによ
って、音楽再生部１６が動作中の、移動通信端末装置の音声出力関連の制御の動作を、図
２、図３及び図８を参照して説明する。
【００５６】
まず、音楽再生部１６が動作中に、制御部１１が通話着信信号を受信した際の、制御部
１１の音声出力制御の動作を説明する。制御部１１は、音楽再生部１６が動作中に通話着
信信号を受信すると、図３に示す音声関連処理重要度一覧１１ｂから音声関連処理１１ｄ
が「通話着信音の発生」である情報の組を検索し、その結果、重要度１１ｃが「高」であ
るとの結果を得る（図８のステップＳ１１ｂの「重要度が「高」」）。
【００５７】
そこで、制御部１１は、通話着信があったことを使用者に報知するため、通話着信音の
スピーカ３３からの発生、通話着信があった旨を示す文字または画像を表示部３２に表示
、通話着信があったこと示す振動を振動子（図示せず）から発生、のいずれか１つ、また
は、複数の動作をさせる。なお、いずれの動作をさせ、いずれの動作をさせないかは、事
前に入力装置１５の所定のキー操作によって行なわれ、制御部１１内に記憶された設定に
依存する。
【００５８】
制御部１１は、通話着信音のスピーカ３３からの発生を行わせる場合、音楽再生部１６
の音楽再生の動作を中断させる。また、通話着信があった旨を示す文字または画像を表示
部３２に表示させる場合、図４（ｂ）に示す音楽再生部１６による音楽再生時の表示に代
えて、または、その表示の前面に通話着信表示を表示させる。
【００５９】
図９（ａ）は、音楽再生部１６による音楽再生中に通話着信があった場合の表示部３２
の表示の一例を示す。即ち、通話着信表示１１ｅとして、「着信」なる文字と、「０１２
３４５６７８９」なるその着信を発信した通信装置を識別する電話番号と、電話帳（図示
せず）にその電話番号と対応付けられて記憶された名前情報とが表示されている。なお、
音楽再生中に通話着信があった場合、図４（ｂ）の表示に重ねて「着信」なる文字、「０
１２３４５６７８９」なる電話番号情報、名前情報等を表示してもよい。
【００６０】
そして、所定の時間に渡って通話着信の報知のための動作を行わせて、入力装置１５の
所定のキー操作による着呼操作が行なわれなかった場合、制御部１１は、その通話着信の
報知のための動作を中止させ、音楽再生部１６の動作を再開させる。即ち、通話着信音の
スピーカ３３からの発生を行わせた場合、音楽再生部１６に音楽の再生をその再生を中断
させた部分から再開させ、また、通話着信があった旨を示す文字または画像を表示部３２
に表示させた場合、音楽再生部１６に図４（ｂ）に示す音楽再生時の表示を再開させる。
【００６１】
なお、再生の再開に関しては、上記中断させた部分からの再生に限定されることなく、
中断させた直前の箇所の５秒前から再開させる、又はその再生曲の最初から再開させても
良い。更に、音楽再生部１６に、音楽再生部１６が起動された際の動作をさせても良い。
【００６２】
その場合には、音楽再生部１６に中断させた部分に関する情報を保持し、再度再開させる
制御があった場合にその保持した情報を用いて再開する。その場合、表示部３２には、図
４（ａ）に示す音楽再生部１６が起動された際の表示が行われる。上記説明した通り、ど
の部分から再生を再開するかには、数通りの処理が可能であるが、以後の説明で、それら
を含めて再生の再開と称する。
【００６３】
また、上記の時間に渡る動作中に着呼操作が行なわれた場合、制御部１１は、送受信部
１３と通話部１４ｃとを制御して通話処理をさせる。また、音楽再生部１６の音楽再生の
動作を中断させ、更に、通話中である旨を示す文字または画像を表示部３２に表示させる
。ここで、その表示は、図４（ｂ）に示す音楽再生部１６による音楽再生時の表示に代え
て、または、その表示の前面に表示させる。そして、入力装置１５の所定のキー操作によ
る通話終了の操作が行なわれると、通話処理を終了させ、音楽再生部１６の動作を再開さ
せる。
【００６４】
ここで、以上の通話着信があったことを使用者に報知するための動作、及び、通話の動
作は、音楽再生部１６が動作中であるか否かを問わず、同一である。即ち、移動通信端末
装置は、音楽再生部１６が動作中であっても、通話着信を使用者に報知することができる
。
【００６５】
次に、音楽再生部１６が動作中に、制御部１１が電源部５１によって送信された電力低
下信号５１ａを受信した際の、制御部１１の音声出力制御の動作を説明する。制御部１１
は、音楽再生部１６が動作中に電力低下信号５１ａを受信すると、図３に示す音声関連処
理重要度一覧１１ｂから音声関連処理１１ｄが「電力低下アラーム音の発生」である情報
の組を検索し、その結果、重要度１１ｃが「高」であるとの結果を得る（図８のステップ
Ｓ１１ｂの「重要度が「高」」）。そこで、制御部１１は、電力低下信号５１ａに対応し
て設定され、制御部１１内に記憶された動作を行う。
【００６６】
即ち、制御部１１内に記憶された設定に従って、電力低下が発生したことを使用者に報
知するため、スピーカ３３からアラーム音の発生、及び、電力低下が発生した旨を示す文
字または画像を表示部３２に表示させる。更に、電力低下が発生したことを示す振動を振
動子から発生させても良い。図１０は、電力低下が発生した旨を示す文字が表示部３２に
表示された一例を示す。即ち、電力低下表示１１ｈとして、「充電して下さい」なる文字
が表示されている。
【００６７】
更に、制御部１１は、電源部５１から送信された電力低下信号５１ａを受信した際、音
楽再生部１６の動作を終了させて、充電池に蓄えられた電力の消費を少なくする。そのた
め、音楽再生部１６による音楽の再生は終了し、また、図４に示す音楽再生部１６による
表示部３２への表示は終了する。以上の制御により、移動通信端末装置は、音楽再生部１
６が動作中であっても、電力低下が発生したことを使用者に報知することができる。
【００６８】
次に、音楽再生部１６が動作中に、クロック１１ａが示す時刻とスケジュール管理部４
３によって依頼された開始時刻４３ｂとが一致した際の、制御部１１の音声出力制御の動
作を説明する。
【００６９】
制御部１１は、音楽再生部１６が動作中にクロック１１ａが示す時刻とスケジュール管
理部４３によって警報の報知が依頼された開始時刻４３ｂとが一致すると、図３に示す音
声関連処理重要度一覧１１ｂから音声関連処理１１ｄが「スケジュールアラーム音の発生
」である情報の組を検索し、その結果、重要度１１ｃが「高」であるとの結果を得る（図
８のステップＳ１１ｂの「重要度が「高」」）。そこで、制御部１１は、用件４３ｄの開
始時刻４３ｂとなったことに対応して設定され、制御部１１内に記憶された動作を行う。
【００７０】
即ち、制御部１１内に記憶された設定に従って、用件４３ｄの開始時刻４３ｂとなった
ことを使用者に報知するため、スピーカ３３からアラーム音の発生、用件４３ｄの開始時
刻４３ｂとなった旨を示す文字または画像を表示部３２に表示、用件４３ｄの開始時刻４
３ｂとなったことを示す振動を振動子から発生、のいずれか１つ、または、複数の動作を
させる。なお、いずれの動作をさせ、いずれの動作をさせないかは、事前に入力装置１５
の所定のキー操作によって行なわれ、制御部１１内に記憶された設定に依存する。
【００７１】
制御部１１は、上記スピーカ３３からアラーム音の発生を行わせる場合、音楽再生部１
６の音楽再生の動作を中断させる。また、図１１は、用件４３ｄの開始時刻４３ｂとなっ
た旨を示す文字が表示部３２に表示された一例を示す。即ち、クロック１１ａが示す時刻
が開始時刻４３ｂと等しい用件４３ｄをスケジュール管理部４３内に記憶されたスケジュ
ール一覧４３ａから検索して、検索された用件４３ｄがスケジュール時刻表示１１ｊとし
て、表示部３２に表示されている。この用件４３ｄの開始時刻４３ｂとなった旨を示す文
字が表示部３２に表示させる場合、図４（ｂ）に示す音楽再生部１６による音楽再生時の
表示に代えて、または、その表示の前面に表示させる。
【００７２】
そして、所定の時間に渡って上記報知を行わせて、入力装置１５の所定のキー操作によ
る報知を終了させる操作が行なわれた場合、制御部１１は、その報知を中止させ、音楽再
生部１６の動作を再開させる。
【００７３】
次に、制御部１１は、音楽再生部１６が動作中に、入力装置１５のキーが操作された際
の、キー音の制御の動作を説明する。制御部１１は、音楽再生部１６が動作中に入力装置
１５から送信されたキーの識別子を受信すると、図３に示す音声関連処理重要度一覧１１
ｂから音声関連処理１１ｄが「キー音の発生」である情報の組を検索し、その結果、重要
度１１ｃが「低」であるとの結果を得る（図８のステップＳ１１ｂの「重要度が「低」」
）。そこで、制御部１１は、キー音をスピーカ３３から発生させない。
【００７４】
次に、音楽再生部１６が動作中に、制御部１１がメール着信信号を受信した際の、制御
部１１の音声出力制御の動作を説明する。なお、この動作は、制御部１１がメール着信信
号を受信した際でなく、その受信に続いて電子メール送受信部４１がその着信信号で着信
が通知された電子メールの受信を完了した際に行われても良い。即ち、以下の説明で、「
メール着信信号の報知」は、「着信信号で着信が通知された電子メールの受信を完了の報
知」であっても良い。
【００７５】
制御部１１は、音楽再生部１６が動作中にメール着信信号を受信すると、図３に示す音
声関連処理重要度一覧１１ｂから音声関連処理１１ｄが「メール着信音の発生」である情
報の組を検索し、その結果、重要度１１ｃが「低」であるとの結果を得る（図８のステッ
プＳ１１ｂの「重要度が「低」」）。
【００７６】
そこで、制御部１１は、メール着信があったことを使用者に報知するためのメール着信
音の発生をさせない。なお、この場合には、メール着信音の発生の代わりに、振動子を振
動させる。なお、振動子すら振動させないようにしてもよい。
【００７７】
そして、制御部１１は、メール着信があった旨を示す文字または画像を表示部３２に表
示させる。図９（ｂ）は、音楽再生時にメール着信があった場合の表示部の表示の一例を
示す。例えば、図４に示す音楽再生部１６によって行われる表示が表示部３２の全面を用
いていない場合、メール着信があった旨を示す画像表示は、音楽再生部１６による表示が
されない部分に、例えば電池残量・電波状況を表示するためのピクト行３２ａにピクト行
表示１１ｆで表示される。また、メール着信があった旨を示す文字はポップアップ表示１
１ｇで表示させても良い。
【００７８】
ここで、上記の動作は、音楽再生部１６が動作していないときにメール着信があった際
に行う報知の動作として事前に入力装置１５の所定のキー操作によって行なわれ、制御部
１１内に記憶された設定に依存しない。即ち、メール着信があった際にメール着信音を発
生させる設定が記憶されていても、メール着信音を発生させない制御を行う。
【００７９】
その後、メール着信があった旨を示す文字または画像が表示された状態でワープ中央キ
ー１５ａが押下されると、制御部１１は、電子メール送受信部４１に「受信メールボック
ス」機能を動作させる。また、メール着信があった旨を示す文字または画像が表示された
状態で第１のソフトキー１５ｃが押下されると、図４（ｂ）に示された音楽再生時の表示
に戻る。
【００８０】
なお、「メール着信音の発生」なる音声関連処理１１ｄと組をなして音声関連処理重要
度一覧１１ｂに記憶される重要度１１ｃは「高」であってもよい。この場合、制御部１１
は、メール着信信号を受信すると、音楽再生部１６による音楽再生を中断させ、メール着
信音を一定時間鳴動させた後、音楽再生を再開させる。また、音楽再生部１６による音楽
再生が再開された場合においても、メール着信があった旨を示す文字または画像を表示部
３２に継続して表示させても良い。
【００８１】
以上のように、メール受信の重要度が「低」である場合と「高」である場合を説明した
が、「中」とし、ユーザに「低」・「高」を設定出来るようにしてもよい。
【００８２】
次に、音楽再生部１６によって音楽が再生されており、電子メール送受信部４１が「受
信ボックス」機能または「送信ボックス」機能の添付ファイルを再生する機能に対する制
御部１１の制御方法について説明する。まず、電子メール送受信部４１が「受信ボックス
」機能または「送信ボックス」機能の動作をしている際、制御部１１は、図３に示す音声
関連処理重要度一覧１１ｂから音声関連処理１１ｄが「添付ファイル再生による音声発生
」である情報の組を検索し、その結果、重要度１１ｃが「低」であるとの結果を得る（図
８のステップＳ１１ｂの「重要度が「低」」）。
【００８３】
そこで、制御部１１は、電子メール送受信部４１を制御して、添付ファイルとして添付
されていた音楽コンテンツ２１ａの再生を行わせない。なお、この音楽コンテンツ２１ａ
の再生を行わせない方法としては、添付ファイルとして添付されていた音楽コンテンツ２
１ａの再生を選択する選択領域を表示部３２に表示しないようにしたり、音楽コンテンツ
２１ａの再生を選択する領域を反転させて、選択できない旨を示すように表示したりする
。
【００８４】
以上の制御により、移動通信端末装置は、電子メールの着信の際、及び、電子メールの
受信の際、音楽再生部１６によって再生されている音楽にその他の音声が混入することを
防ぐことができる。
【００８５】
次に、音楽再生部１６が動作中に電子メール送受信部４１が「新規作成」機能を動作中
の、制御部１１の音声出力制御の動作を説明する。制御部１１は、音楽再生部１６が動作
中に電子メール送受信部４１が「新規作成」機能の動作をしている際、制御部１１は、図
３に示す音声関連処理重要度一覧１１ｂから音声関連処理１１ｄが「添付ファイルの添付
」である情報の組を検索し、その結果、重要度１１ｃが「低」であるとの結果を得る（図
８のステップＳ１１ｂの「重要度が「低」」）。
【００８６】
そこで、制御部１１は、電子メール送受信部４１を制御して、添付ファイルの添付を行
わせない。なお、この添付ファイルの添付を行わせない方法としては、音楽コンテンツ２
１ａの添付のみを行わせないようにしたり、音楽再生中の音楽コンテンツ２１ａファイル
を添付できないようにしたりしてもよい。また、その方法は、添付ファイルを選択する選
択領域を表示部３２に表示しない方法でもよいし、添付を行わせないファイルを選択する
領域を反転させて、選択できない旨を示すように表示する方法でもよい。
【００８７】
以上の制御により、電子メール送受信部４１が添付ファイルとして添付する音楽コンテ
ンツ２１ａを選択中に、ファイル操作の誤りによって音楽再生部１６が再生している音楽
コンテンツ２１ａが削除され、または、それを識別する情報が変更されるなどによる、音
楽再生部１６の動作の障害の発生を防ぐことができる。
【００８８】
次に、音楽再生部１６が動作中に、電子メール送受信部４１が「新規機能」、「受信ボ
ックス」または「送信ボックス」機能を動作している場合の、制御部１１によるメールア
ラーム音の出力制御の動作を説明する。音楽再生部１６が動作中に、電子メール送受信部
４１が動作をしている場合、制御部１１は、図３に示す音声関連処理重要度一覧１１ｂか
ら音声関連処理１１ｄが「メールアラーム音の発生」である情報の組を検索し、その結果
、重要度１１ｃが「低」であるとの結果を得る（図８のステップＳ１１ｂの「重要度が「
低」」）。
【００８９】
そこで、制御部１１は、電子メール送受信部４１を制御して、メールアラーム音を発生
させない。ここで、メールアラーム音とは、使用者が、電子メール送受信部４１に対して
、行わせることができない動作を指示した際にスピーカ３３から発生される音声であり、
例えば、空のフォルダに記憶された受信メールまたは送信メールの一覧の表示が指示され
た場合に発生されるものである。
【００９０】
次に、音楽再生部１６が動作中にブラウザ部４２が動作する際の、制御部１１の音声出
力制御の動作を説明する。制御部１１は、音楽再生部１６が動作中にブラウザ部４２が動
作している際、制御部１１は、図３に示す音声関連処理重要度一覧１１ｂから音声関連処
理１１ｄが「ブラウザ装置による音声の発生」である情報の組を検索し、その結果、重要
度１１ｃが「同」であるとの結果を得る（図８のステップＳ１１ｂの「重要度が「同」」
）。
【００９１】
そこで、制御部１１は、事前に入力装置１５の所定のキー操作によって行なわれ、制御
部１１内に記憶された設定に従って、ブラウザ部４２に使用者が入力装置１５の所定のキ
ー操作によって指定したサイトのページに依存した、そして、そのサイトのページの属性
に依存して音声出力をし、それらに依存した表示部３２への表示をする。また、事前の設
定によっては音声出力又は表示部３２への表示は行わない。このとき、音楽再生部１６の
音楽の再生は、その設定に応じて中断したり、継続したりする。
【００９２】
なお、制御部１１は、ブラウザ部４２にスピーカ３３からの音声出力を行わせる場合、
音楽再生部１６の動作を中断させる。そして、その音声出力が終了した際、音楽再生部１
６の動作を再開させる。以上の制御によって、移動通信端末装置は、使用者の設定に基づ
いて、ブラウザ部４２の動作による音声の発生を可能にし、または、不可能にする。
【００９３】
例えば、ブラウザ部４２によって音楽サイトを表示し、更にそのサイトから音楽コンテ
ンツ２１ａをダウンロード可能である場合において、通常時（音楽を再生していないとき
、待受け時など）は、音楽コンテンツのダウンロード後に、第３のソフトキー１５ｅを押
下するとダウンロードした音楽が確認再生出来るようになっているが、音楽再生部１６に
よる音楽再生時には、第３のソフトキー１５ｅを操作しても確認再生は出来ないようにし
、音楽再生部１６によって再生している音楽は継続するように予め設定することが出来る
。また、上記ダウンロード音楽コンテンツの確認再生を可能にし、音楽再生部１６による
再生中の音楽を中断して、上記ダウンロード音楽コンテンツの確認再生終了後、再生が中
断されていた音楽の再生を再開するように設定してもよい。
【００９４】
以上の説明では、制御部１１は、音楽再生部１６が動作中の音声出力制御の際、音声関
連処理重要度一覧１１ｂを検索するとしたが、これに限るものではない。それぞれの音声
関連処理１１ｄを行う部分に、重要度１１ｃに従った処理を組み込んでいても良い。
【００９５】
その場合、通話着信音の発生の処理などの、重要度１１ｃが「高」である音声関連処理
１１ｄを行う制御部１１の部分には、音楽再生部１６が動作中であるか否かを調べる動作
は不要となる。なぜなら、重要度１１ｃが「高」である音声関連処理１１ｄを行う部分は
、音楽再生部１６が動作中であるか否かに係わらず、同じ動作を行うからである。
【００９６】
また、以上の説明では、クロック１１ａが示す時刻と所定の時刻が一致した際の制御部
１１の動作として、クロック１１ａが示す時刻とスケジュール管理部４３によって依頼さ
れた開始時刻４３ｂとが一致した際の動作を説明したが、これに限るものではない。例え
ば、移動通信端末装置は目覚まし時計部（図示せず）を備え、クロック１１ａが示す時刻
と目覚まし時計部によって依頼された時刻とが一致した際に同じ動作をしても良い。
【００９７】
以上の説明では、移動通信端末装置は、通話用のスピーカ１４ａと、音楽コンテンツ２
１ａ再生用のスピーカ３３との２つのスピーカを有する構成であるとしたが、これに限る
ものではない。１つのスピーカを通話用とコンテンツ再生用とに兼用しても良い。
【００９８】
また、以上の説明は、本発明を移動通信端末装置に適用した形態を例にとって行ったが
、本発明は、ＰＤＡ（Personal Digital Assistant）、パソコンなど、音楽コンテンツを
再生するあらゆる装置に適用することが当然に可能である。本発明は以上の構成に限定さ
れるものではなく、種々の変形が可能である。
【図面の簡単な説明】
【００９９】
【図１】本発明の実施形態に係る移動通信端末装置の外観図。
【図２】本発明の実施形態に係る移動通信端末装置の構成を示すブロック図。
【図３】本発明の実施形態に係る音声関連処理重要度一覧の形式の一例を示す図。
【図４】本発明の実施形態に係る音楽再生部による表示部の表示の一例を示す図。
【図５】本発明の実施形態に係る電子メール送受信部による表示部の表示の一例を示す図。
【図６】本発明の実施形態に係るブラウザ部による表示部の表示の一例を示す図。
【図７】本発明の実施形態に係るスケジュール一覧の形式の一例を示す図。
【図８】本発明の実施形態に係る制御部の音声関連処理制御の動作を示すフローチャート。
【図９】本発明の実施形態に係る移動通信端末装置で、音楽再生部が動作中に着信があった場合の表示部の表示の一例を示す図。
【図１０】本発明の実施形態に係る移動通信端末装置で、音楽再生部が動作中に電力低下が発生した場合の表示部の表示の一例を示す図。
【図１１】本発明の実施形態に係る移動通信端末装置で、音楽再生部が動作中に用件の開始時刻になった場合の表示部の表示の一例を示す図。
【符号の説明】
【０１００】
１１  制御部
１１ａ  クロック
１１ｂ  音声関連処理重要度一覧
１１ｃ  重要度
１１ｄ  音声関連処理
１１ｅ  通話着信表示
１１ｆ  ピクト行表示
１１ｇ  ポップアップ表示
１１ｈ  電力低下表示
１１ｊ  スケジュール時刻表示
１５  入力装置
１６  音楽再生部
１６ａ  プレイリスト名一覧
１６ｂ  第２の機能表示
１６ｃ  再生表示
１６ｄ  第３の機能表示
１６ｅ  メニュー
２１  音楽コンテンツ記憶部
２１ａ  音楽コンテンツ
３１  復号部
３２  表示部
３３  スピーカ
４１  電子メール送受信部
４２  ブラウザ部
４３  スケジュール管理部
４３ａ  スケジュール一覧
４３ｂ  開始時刻
４３ｃ  終了時刻
４３ｄ  用件
５１  電源部
５１ａ  電力低下信号
【図１】
0004751439.tif 000002
【図２】
0004751439.tif 000003
【図３】
0004751439.tif 000004
【図４】
0004751439.tif 000005
【図５】
0004751439.tif 000006
【図６】
0004751439.tif 000007
【図７】
0004751439.tif 000008
【図８】
0004751439.tif 000009
【図９】
0004751439.tif 000010
【図１０】
0004751439.tif 000011
【図１１】
0004751439.tif 000012